(57)【特許請求の範囲】
【請求項１】
ユーザ認証情報を保持した携帯端末に接続される店頭端末と、
前記店頭端末に接続される決済サーバを備えた決済管理システムであって、
前記店頭端末が、前記ユーザ認証情報を用いての本人認証機能によりユーザ認証を完了した携帯端末に格納された口座情報を読み取り、取引金額及び前記口座情報を決済サーバに送信し、
前記決済サーバが、前記店頭端末から受信した前記口座情報に基づいて口座残高を確認し、
前記口座残高から取引金額を差し引いた決済結果を前記店頭端末に返信し、
前記店頭端末が、前記携帯端末に前記決済結果を返信し、
前記決済サーバが、前記取引金額を差し引いた口座残高に関する情報を含めた振替結果を、前記携帯端末に、インターネットを介して、直接、送信することを特徴とする決済管理システム。
【請求項２】
前記決済サーバが、携帯端末から、カード情報を取得した場合、前記カード情報に基づいて、前記口座情報を特定し、
前記口座情報の名義人について本人認証を完了した場合には、前記携帯端末に、前記口座情報を登録する指示を送信することを特徴とする請求項１に記載の決済管理システム。
【請求項３】
前記決済サーバが、前記本人認証において、ネットバンキングにおけるログイン認証を行なうことを特徴とする請求項２に記載の決済管理システム。
【請求項４】
前記決済サーバが、前記本人認証において、カード暗証番号及び通帳に記帳された最終残高情報を取得し、前記カード暗証番号及び前記口座情報の最終残高の一致を確認することを特徴とする請求項２に記載の決済管理システム。
【請求項５】
ユーザ認証情報を保持した携帯端末に接続される店頭端末と、
前記店頭端末に接続される決済サーバを備えた決済管理システムを用いて、決済管理を行なうための方法であって、
前記店頭端末が、前記ユーザ認証情報を用いての本人認証機能によりユーザ認証を完了した携帯端末に格納された口座情報を読み取り、取引金額及び前記口座情報を決済サーバに送信し、
前記決済サーバが、前記店頭端末から受信した前記口座情報に基づいて口座残高を確認し、
前記口座残高から取引金額を差し引いた決済結果を前記店頭端末に返信し、
前記店頭端末が、前記携帯端末に前記決済結果を返信し、
前記決済サーバが、前記取引金額を差し引いた口座残高に関する情報を含めた振替結果を、前記携帯端末に、インターネットを介して、直接、送信することを特徴とする決済管
理方法。
【請求項６】
ユーザ認証情報を保持した携帯端末に接続される店頭端末と、
前記店頭端末に接続される決済サーバを備えた決済管理システムを用いて、決済管理を行なうためのプログラムであって、
前記決済サーバを、
前記ユーザ認証情報を用いての本人認証機能により、ユーザ認証を完了した携帯端末に格納された口座情報を読み取った店頭端末から取引金額及び前記口座情報を受信し、
前記店頭端末から受信した前記口座情報に基づいて口座残高を確認し、
前記口座残高から取引金額を差し引いた決済結果を、前記店頭端末を介して、前記携帯端末に返信し、
前記取引金額を差し引いた口座残高に関する情報を含めた振替結果を、前記携帯端末に、インターネットを介して、直接、送信する手段として機能させることを特徴とする決済管理プログラム。
【発明の詳細な説明】
【技術分野】
【０００１】
本発明は、店頭における決済を支援するための決済管理システム、決済管理方法及び決済管理プログラムに関する。
【背景技術】
【０００２】
店頭における取引について、決済を行なう場合、現金やクレジットカードによる支払を行なうことがある。また、金融機関に開設された口座を用いて支払うデビットカードサービスを利用する場合もある（例えば、特許文献１参照）。
【０００３】
更には、利用者の携帯端末を利用しての決済も検討されている。例えば、予め一定額の入金をした特別な口座から商品の金額を引き落とすプリペイド型電子マネー決済システムも検討されている（例えば、特許文献２参照）。この文献に記載された技術においては、利用者は携帯端末を利用して一般口座サーバから特殊口座サーバに必要な金額を入金する。小売店店頭での支払い時に、携帯端末から特殊口座サーバにアクセスし、特殊口座サーバは認証を行なう。正当な利用者であることが確認できた場合、携帯端末の表示画面に残金情報と口座利用コードを表示させる。小売店端末は、バーコードリーダで携帯端末の表示画面のバーコードを読み取り、特殊口座サーバにアクセスし、支払い額の引き落とし要求を行なう。特殊口座サーバは、送信されてきたコード情報を解析し、正当な利用者であることが確認できた場合、要求金額と残金を照合し、引き落とし処理を行なう。
【先行技術文献】
【特許文献】
【０００４】
【特許文献１】特開２００４−９４３９０号公報
【特許文献２】特開２００４−３２６３４８号公報
【発明の概要】
【発明が解決しようとする課題】
【０００５】
デビットカードサービスにおいては、利用時にデビットカード（キャッシュカード）を持参する必要がある。このため、デビットカードの所持を失念した場合には、決済を行なうことができない。
【０００６】
また、特許文献２に記載された技術では、特殊口座サーバを設ける必要がある。このため、大きな設備投資が必要となる。
本発明は、上記課題を解決するためになされたものであり、その目的は、店頭における効率的な決済を支援するための決済管理システム、決済管理方法及び決済管理プログラムを提供することにある。
【課題を解決するための手段】
【０００７】
（１）上記課題を解決する決済管理システムは、携帯端末に接続される店頭端末と、前記店頭端末に接続される決済サーバを備える。そして、前記店頭端末が、ユーザ認証を完了した携帯端末に格納された口座情報を読み取り、取引金額及び口座情報を決済サーバに送信し、前記決済サーバが、受信した前記口座情報に基づいて口座残高を確認し、前記口座残高から取引金額を差し引いた決済結果を前記店頭端末に返信し、前記店頭端末が、前記携帯端末に決済結果を返信し、前記決済サーバが、前記取引金額を差し引いた口座残高に関する情報を含めた振替結果を携帯端末に、インターネットを介して、送信する。これにより、店頭において、携帯端末を利用した口座振替により、決済を行なうことができる。
【０００８】
（２）上記決済管理システムにおいては、前記決済サーバが、携帯端末から、カード情報を取得した場合、前記カード情報に基づいて、口座情報を特定し、前記口座情報の名義人について本人認証を完了した場合には、前記携帯端末に、口座情報を登録する指示を送信することが好ましい。これにより、本人を確認した後で、携帯端末を利用しての口座振替を許容することができる。
【０００９】
（３）上記決済管理システムにおいては、前記決済サーバが、前記本人認証において、ネットバンキングにおけるログイン認証を行なうことが好ましい。ネットバンキングにおいて利用されている本人認証を利用して、携帯端末に口座情報を登録することができる。
【００１０】
（４）上記決済管理システムにおいては、前記決済サーバが、前記本人認証において、カード暗証番号及び通帳に記帳された最終残高情報を取得し、前記カード暗証番号及び前記口座情報の最終残高の一致を確認することが好ましい。これにより、通帳を所持している名義人を確認して、携帯端末に口座情報を登録することができる。
【発明の効果】
【００１１】
本発明によれば、店頭において効率的に決済を行なうことができる。
【図面の簡単な説明】
【００１２】
【図１】本発明の実施形態の決済管理システムの説明図。
【図２】本実施形態の処理手順の説明図。
【図３】本実施形態の処理手順の説明図。
【発明を実施するための形態】
【００１３】
以下、決済管理システム、決済管理方法及び決済管理プログラムを具体化した一実施形態を説明する。本実施形態では、スマートフォン等のユーザ端末を利用して、店頭における決済を支援する。具体的には、クレジットカードやデビットカード等のペイメントカードを持参していない場合であっても、銀行口座を保有していれば決済を可能にするための決済サービス（ウォレットサービス）を提供する場合を想定する。
【００１４】
図１に示すように、本実施形態では、インターネットを介して接続されたユーザ端末１０、管理サーバ２０を用いる。この管理サーバ２０は、金融機関ネットワークを介して、店頭端末３０に接続される。
【００１５】
ユーザ端末１０は、金融機関に口座を開設したユーザが保有するコンピュータ端末（携帯端末）である。このユーザ端末１０としては、スマートフォン等のインターネットに接続可能な端末を利用することができる。更に、このユーザ端末１０は、ユーザを認証する本人認証機能を備えており、このためのユーザ認証情報（暗証番号や生体情報等）を保持している。
【００１６】
ユーザ端末１０は、制御部１１、カメラ１２、タッチパネルディスプレイ１３等を備える。
制御部１１は、ＣＰＵ、ＲＡＭ、ＲＯＭ等から構成され、各種プログラムを実行する。この制御部１１は、ウォレットアプリケーションがインストールされることにより、登録部１１１、支払部１１２として機能する。
【００１７】
登録部１１１は、ウォレット機能を実現するために、ユーザの口座を登録する処理を実行する。
支払部１１２は、ウォレット機能を用いて、ユーザの口座からの支払いを行なう処理を実行する。このため、支払部１１２は、ユーザの口座情報を保有する。そして、後述する店頭端末３０と通信を行なうことにより、保有している口座情報を店頭端末３０に提供する。
【００１８】
カメラ１２は、被写体を撮影する処理を実行する。
タッチパネルディスプレイ１３は、情報を入力する入力部及び情報を出力する出力部として機能する。
【００１９】
管理サーバ２０は、顧客が開設した口座を管理する金融機関のコンピュータシステム（決済サーバ）である。この管理サーバ２０は、制御部２１、顧客情報記憶部２２、口座情報記憶部２３を備えている。
【００２０】
制御部２１は、図示しないＣＰＵ等の制御手段、ＲＡＭ及びＲＯＭ等のメモリを備え、後述する処理（登録管理段階、ネット取引段階、振替処理段階等の各処理等）を行なう。そして、決済管理プログラムを実行することにより、制御部２１は、登録管理部２１１、ネット取引部２１２、振替処理部２１３として機能する。
【００２１】
登録管理部２１１は、ウォレットサービスの利用を希望するユーザを登録する処理を実行する。
ネット取引部２１２は、インターネットを用いた金融取引（ネットバンキングサービス）を管理する処理を実行する。
【００２２】
振替処理部２１３は、ウォレットサービスを利用しての決済を支援する処理を実行する。具体的には、顧客の口座から取引金額を引き落とし、店舗の口座に入金する処理を実行する。
【００２３】
顧客情報記憶部２２には、金融機関の顧客についての顧客管理レコードが記録されている。顧客管理レコードは、顧客が金融機関に口座を開設した場合に記録される。顧客管理レコードには、顧客ＩＤ、氏名、口座識別子、カード暗証番号、顧客属性、最終記帳日時、ネット会員、パスワードに関するデータが記録されている。
【００２４】
顧客ＩＤデータ領域には、金融機関の各顧客を特定するための識別子に関するデータが記録されている。
氏名データ領域には、この顧客の氏名に関するデータが記録されている。
口座識別子データ領域には、この顧客が保有する口座を特定するための識別子（金融機関コード、本支店コード、種別コード、口座番号等）に関するデータが記録されている。
【００２５】
カード暗証番号データ領域には、キャッシュカードの名義人を認証するための暗証番号に関するデータが記録されている。
顧客属性データ領域には、この顧客の連絡先、住所、生年月日や性別、職種等に関するデータが記録されている。
最終記帳日時データ領域には、この顧客が、通帳に最後に記帳した年月日及び時刻に関するデータが記録されている。
【００２６】
ネット会員データ領域には、この顧客がネットワークバンキングサービスの利用者かどうかを判定するためのフラグが記録されている。
パスワードデータ領域には、この顧客がネットワークバンキングサービスを利用する場合のログインパスワードに関するデータが記録されている。
【００２７】
口座情報記憶部２３には、顧客が開設した口座を管理するための口座管理レコードが記録されている。
口座管理レコードは、金融機関において口座が開設された場合に登録される。この口座管理レコードは、口座識別子、口座残高、入出金履歴に関するデータが記録されている。
【００２８】
口座識別子データ領域には、各口座を特定するための識別子に関するデータが記録されている。
口座残高データ領域には、この口座の残高に関するデータが記録されている。
入出金履歴データ領域には、この口座における入金や出金について、取引日時や金額、摘要に関するデータが記録される。
【００２９】
店頭端末３０は、店頭に設置された決済端末である。この店頭端末３０は、ユーザ端末１０と近距離無線通信を行なう。この店頭端末３０は、この店舗の店舗コード、振込先口座に関するデータを保持している。更に、この店頭端末３０は、商品管理サーバ（図示せず）に接続されている。この商品管理サーバは、商品についての販売価格（取引金額）や、販売状況（ＰＯＳ）を管理するコンピュータシステムである。
【００３０】
次に、上記のシステムを用いて行なわれる処理を、図２、図３を用いて説明する。本実施形態では、ウォレットサービスの利用登録を行なう登録時処理、ウォレットサービスを利用しての決済を行なう決済時処理の順番で説明する。
【００３１】
（登録時処理）
まず、図２を用いて、登録時処理を説明する。ウォレットサービスの利用を希望する場合、ウォレットアプリケーションを、ユーザ端末１０にダウンロードする。
【００３２】
そして、ユーザ端末１０の制御部１１は、ウォレット初起動処理を実行する（ステップＳ１−１）。具体的には、制御部１１の登録部１１１は、ウォレットアブリケーションについて初めての起動を検知した場合、キャッシュカード又は通帳の撮影指示をタッチパネルディスプレイ１３に出力する。そして、登録部１１１は、カメラ１２を起動する。
【００３３】
次に、ユーザ端末１０の制御部１１は、撮影処理を実行する（ステップＳ１−２）。具体的には、制御部１１の登録部１１１は、カメラ１２から取得した被写体画像をタッチパネルディスプレイ１３に出力する。そして、ユーザは、カード番号が表示されたキャッシュカードや口座番号が表示された通帳を撮影する。この場合、支払部１１２は、撮影画像をメモリに記録する。
【００３４】
次に、ユーザ端末１０の制御部１１は、アクセス処理を実行する（ステップＳ１−３）。具体的には、制御部１１の登録部１１１は、インターネットを介して、管理サーバ２０にアクセスする。そして、登録部１１１は、メモリに記憶した撮影画像を管理サーバ２０に送信する。
【００３５】
次に、管理サーバ２０の制御部２１は、撮影画像の取得処理を実行する（ステップＳ２−１）。具体的には、制御部２１の登録管理部２１１は、ユーザ端末１０から撮影画像を取得する。
【００３６】
次に、管理サーバ２０の制御部２１は、口座識別子の特定処理を実行する（ステップＳ２−２）。具体的には、制御部２１の登録管理部２１１は、撮影画像に対して、カード又は通帳のパターンを用いたパターン認識を行ない、口座識別子が表示された領域を特定する。そして、登録管理部２１１は、特定した領域の文字認識を行ない、カードや通帳に印字された口座識別子を特定する。
【００３７】
次に、管理サーバ２０の制御部２１は、ネット会員かどうかについての判定処理を実行する（ステップＳ２−３）。具体的には、制御部２１の登録管理部２１１は、顧客情報記憶部２２から、特定した口座識別子が記録された顧客管理レコードを取得する。そして、登録管理部２１１は、取得した顧客管理レコードに基づいて、ネット会員かどうかを判定する。
【００３８】
ネット会員と判定した場合（ステップＳ２−３において「ＹＥＳ」の場合）、管理サーバ２０の制御部２１は、ログイン要求処理を実行する（ステップＳ２−４）。具体的には、制御部２１の登録管理部２１１は、ネット取引部２１２に対して、ログイン認証を依頼する。この場合、ネット取引部２１２は、ユーザ端末１０のタッチパネルディスプレイ１３にログイン画面を出力する。このログイン画面には、顧客ＩＤ及びパスワードの入力欄が設けられている。
【００３９】
次に、管理サーバ２０の制御部２１は、ログイン認証処理を実行する（ステップＳ２−５）。具体的には、制御部２１のネット取引部２１２は、ログイン画面に入力されたユーザＩＤ及びパスワードを取得する。そして、ネット取引部２１２は、ユーザ端末１０から取得した顧客ＩＤ及びパスワードと、顧客管理レコードに記録されている顧客ＩＤ及びパスワードとを比較する。
【００４０】
次に、管理サーバ２０の制御部２１は、認証完了かどうかについての判定処理を実行する（ステップＳ２−６）。具体的には、制御部２１のネット取引部２１２は、ユーザ端末１０から取得した顧客ＩＤ及びパスワードと、顧客管理レコードに記録されている顧客ＩＤ及びパスワードとが一致した場合に、認証完了と判断する。
【００４１】
認証完了と判定した場合（ステップＳ２−６において「ＹＥＳ」の場合）、管理サーバ２０の制御部２１は、ウォレットに口座情報の登録処理を実行する（ステップＳ２−７）。具体的には、制御部２１の登録管理部２１１は、ユーザ端末１０に対して、口座情報（口座識別子）を含めたウォレット登録データを送信する。
【００４２】
一方、ネット会員でないと判定した場合（ステップＳ２−３において「ＮＯ」の場合）、管理サーバ２０の制御部２１は、記帳残高の要求処理を実行する（ステップＳ２−８）。具体的には、制御部２１の登録管理部２１１は、ユーザ端末１０のタッチパネルディスプレイ１３に、通帳記帳残高の入力を促す画面を出力する。本実施形態では、通帳において最終残高が印字されているページの撮影、又は通帳に記帳されている最終残高の入力により、通帳記帳残高を特定する。ここでは、登録管理部２１１は、ユーザ端末１０から、通帳撮影画像又は入力された最終残高に関する情報を取得する。通帳撮影画像を取得した場合には、登録管理部２１１は、通帳のパターン認識により、最終残高が記録されている領域（印字領域の最終行）を特定し、文字認識により最終残高を特定する。
【００４３】
次に、管理サーバ２０の制御部２１は、生年月日、暗証番号、記帳残高による認証処理を実行する（ステップＳ２−９）。具体的には、制御部２１の登録管理部２１１は、ユーザ端末１０のタッチパネルディスプレイ１３に、生年月日及びカード暗証番号の入力画面を出力する。そして、登録管理部２１１は、入力画面に入力された生年月日及びカード暗証番号を取得する。
【００４４】
次に、管理サーバ２０の制御部２１は、照合完了かどうかについての判定処理を実行する（ステップＳ２−１０）。具体的には、制御部２１の登録管理部２１１は、顧客情報記憶部２２において、最後に通帳記帳を行なった最終記帳日時を特定する。次に、登録管理部２１１は、最終記帳日時の残高を、口座情報記憶部２３から取得する。そして、登録管理部２１１は、口座情報記憶部２３から取得した残高と、ユーザ端末１０から取得した残高とを比較する。更に、登録管理部２１１は、顧客情報記憶部２２から、生年月日及びカード暗証番号を取得する。そして、ユーザ端末１０から取得した生年月日及びカード暗証番号、記帳残高が、顧客情報記憶部２２、口座情報記憶部２３に記録されている情報と一致した場合には、照合完了と判定する。
【００４５】
ここで、照合完了と判定した場合（ステップＳ２−１０において「ＹＥＳ」の場合）、管理サーバ２０の制御部２１は、ウォレットに口座情報の登録処理を実行する（ステップＳ２−７）。
【００４６】
そして、管理サーバ２０から口座情報を取得したユーザ端末１０の制御部１１は、記録処理を実行する（ステップＳ１−４）。具体的には、制御部１１の登録部１１１は、支払部１１２に、管理サーバ２０から取得した口座情報を記録する。
【００４７】
一方、認証を完了できない場合や、照合を完了できない場合（ステップＳ２−６、Ｓ２−１０において「ＮＯ」の場合）、管理サーバ２０の制御部２１は、エラー処理を実行する（ステップＳ２−１１）。具体的には、制御部２１の登録管理部２１１は、ウォレットを利用できないことを示すメッセージをユーザ端末１０のタッチパネルディスプレイ１３に出力し、登録処理を終了する。
【００４８】
（決済時処理）
次に、図３を用いて、決済時処理を説明する。この処理は、店頭において、ユーザが取引を行なった場合に実行される。取引を行なう場合、店頭端末３０は、商品管理サーバから販売価格（取引金額）を取得する。
【００４９】
ここでは、まず、ユーザ端末１０の制御部１１は、ウォレット起動処理を実行する（ステップＳ３−１）。具体的には、ウォレットを利用する場合、ユーザは、タッチパネルディスプレイ１３において、ウォレットアイコンを選択する。この場合、制御部１１は、支払部１１２を起動する。
【００５０】
次に、ユーザ端末１０の制御部１１は、本人認証処理を実行する（ステップＳ３−２）。具体的には、制御部１１の支払部１１２は、タッチパネルディスプレイ１３に、認証要求画面を出力する。例えば、ユーザ端末１０のタッチパネルディスプレイ１３に本人認証画面を出力する。また、ユーザ端末１０の生体認証センサにおいて取得した生体情報（例えば、指紋や虹彩、顔画像等）を用いて、生体認証を行なうようにしてもよい。そして、ユーザ端末１０は、保持しているユーザ認証情報を用いての本人認証機能により、本人認証処理を実行する。
【００５１】
本人認証を完了した場合、ユーザ端末１０の制御部１１は、口座情報の提供処理を実行する（ステップＳ３−３）。具体的には、制御部１１の支払部１１２は、近距離の所定範囲に存在する店頭端末３０を、近距離無線通信を用いて検知する。そして、支払部１１２は、検知した店頭端末３０に対して、口座情報を送信する。
【００５２】
この場合、店頭端末３０は、口座情報の取得処理を実行する（ステップＳ４−１）。具体的には、店頭端末３０は、近距離無線通信を用いて、ユーザ端末１０から口座情報（口座識別子）を取得する。
【００５３】
次に、店頭端末３０は、口座振替依頼処理を実行する（ステップＳ４−２）。具体的には、店頭端末３０は、管理サーバ２０に対して口座振替依頼電文を送信する。この口座振替依頼電文には、ユーザ端末１０から取得した口座情報、取引金額、振込先口座に関するデータを含める。
【００５４】
次に、管理サーバ２０の制御部２１は、口座振替依頼の取得処理を実行する（ステップＳ５−１）。具体的には、制御部２１の振替処理部２１３は、店頭端末３０から口座振替依頼電文を取得する。
【００５５】
次に、管理サーバ２０の制御部２１は、口座の特定処理を実行する（ステップＳ５−２）。具体的には、制御部２１の振替処理部２１３は、口座振替依頼電文に含まれる口座情報に基づいて、引落口座を特定する。
【００５６】
次に、管理サーバ２０の制御部２１は、残高の取得処理を実行する（ステップＳ５−３）。具体的には、制御部２１の振替処理部２１３は、口座情報記憶部２３から、引落口座の口座残高を取得する。
【００５７】
次に、管理サーバ２０の制御部２１は、引落可能かどうかについての判定処理を実行する（ステップＳ５−４）。具体的には、制御部２１の振替処理部２１３は、口座振替依頼電文の取引金額と口座残高とを比較する。口座残高が取引金額以上の場合には、引落可能と判定する。
【００５８】
口座残高が取引金額よりも低く、引落不可と判定した場合（ステップＳ５−４において「ＮＯ」の場合）、管理サーバ２０の制御部２１は、エラー処理を実行する（ステップＳ５−５）。具体的には、制御部２１の振替処理部２１３は、取引金額の引き落としを中止して、エラーメッセージを生成する。
【００５９】
一方、取引金額以上の口座残高があり、引落可能と判定した場合（ステップＳ５−４において「ＹＥＳ」の場合）、管理サーバ２０の制御部２１は、引落処理を実行する（ステップＳ５−６）。具体的には、制御部２１の振替処理部２１３は、この口座の残高から取引金額を差し引く。そして、振替処理部２１３は、取引金額を振込先口座に入金する処理を実行する。更に、振替処理部２１３は、口座管理レコードにおいて、この口座振替についての入出金履歴を記録する。
【００６０】
次に、管理サーバ２０の制御部２１は、結果通知処理を実行する（ステップＳ５−７）。具体的には、制御部２１の振替処理部２１３は、引落完了メッセージを生成し、このメッセージをユーザ端末１０に送信する。
【００６１】
管理サーバ２０から結果を受信した店頭端末３０は、結果表示処理を実行する（ステップＳ４−３）。具体的には、店頭端末３０は、ディスプレイに引落結果を表示する。ここで、引落完了メッセージを受信した場合には、顧客との取引を完了する。一方、エラーメッセージを取得した場合には、ユーザ端末１０を利用しての取引を中断する。
【００６２】
次に、店頭端末３０は、結果転送処理を実行する（ステップＳ４−４）。具体的には、店頭端末３０は、近距離無線通信を用いて、管理サーバ２０から取得した引落結果を、ユーザ端末１０に転送する。
【００６３】
次に、ユーザ端末１０の制御部１１は、結果表示処理を実行する（ステップＳ３−４）。具体的には、制御部１１の支払部１１２は、タッチパネルディスプレイ１３に引落結果を出力する。この場合、ユーザ端末１０のタッチパネルディスプレイ１３には、エラーメッセージ又は引落完了メッセージが表示される。
【００６４】
以上、本実施形態によれば、以下に示す効果を得ることができる。
（１）本実施形態では、ユーザ端末１０の制御部１１は、撮影処理（ステップＳ１−２）、アクセス処理（ステップＳ１−３）を実行する。この場合、管理サーバ２０の制御部２１は、撮影画像の取得処理（ステップＳ２−１）、口座識別子の特定処理（ステップＳ２−２）を実行する。これにより、キャッシュカードや通帳の撮影画像に基づいて、口座識別子を特定することができる。
【００６５】
（２）本実施形態では、ネット会員と判定した場合（ステップＳ２−３において「ＹＥＳ」の場合）、管理サーバ２０の制御部２１は、ログイン要求処理を実行する（ステップＳ２−４）。これにより、ネット会員の場合には、インターネットバンキングサービスのログインに基づいて、本人認証を行なうことができる。
【００６６】
（３）本実施形態では、ネット会員でないと判定した場合（ステップＳ２−３において「ＮＯ」の場合）、管理サーバ２０の制御部２１は、記帳残高の要求処理を実行する（ステップＳ２−８）。次に、管理サーバ２０の制御部２１は、生年月日、暗証番号、記帳残高による認証処理を実行する（ステップＳ２−９）。これにより、通帳の真正性を確認しながら、本人確認を行なうことができる。生年月日を確認することにより、登録申請者の本人性の確度を高めることができる。
【００６７】
（４）本実施形態では、認証完了又は照合完了と判定した場合（ステップＳ２−６、Ｓ２−１０において「ＹＥＳ」の場合）、管理サーバ２０の制御部２１は、ウォレットに口座情報の登録処理を実行する（ステップＳ２−７）。この場合、ユーザ端末１０の制御部１１は、記録処理を実行する（ステップＳ１−４）。これにより、支払部１１２に、口座名義人を確認した口座情報を保持させることができる。
【００６８】
（５）本実施形態では、ユーザ端末１０の制御部１１は、ウォレット起動処理（ステップＳ３−１）、口座情報の提供処理（ステップＳ３−３）を実行する。これにより、金融機関に開設された口座を用いて決済を行なうことができる。
この場合、ユーザ端末１０の制御部１１は、本人認証処理を実行する（ステップＳ３−２）。本人認証を完了した場合、ユーザ端末１０の制御部１１は、口座情報の提供処理を実行する（ステップＳ３−３）。これにより、ユーザ端末１０のユーザを確認して、決済を行なうことができる。
【００６９】
（６）本実施形態では、取引金額以上の口座残高があり、引落可能と判定した場合（ステップＳ５−４において「ＹＥＳ」の場合）、管理サーバ２０の制御部２１は、引落処理を実行する（ステップＳ５−６）。そして、管理サーバ２０から結果を受信した店頭端末３０は、結果表示処理を実行する（ステップＳ４−３）。これにより、口座振替の結果に基いて、取引を行なうことができる。
【００７０】
また、上記実施形態は、以下の態様に変更してもよい。
・上記実施形態では、管理サーバ２０の制御部２１は、ネット会員かどうかについての判定処理を実行する（ステップＳ２−３）。そして、ネット会員の場合には、ネットバンキングサービスのログインにより本人を確認し、ネット会員でない場合には、通帳を利用して本人を確認する。本人の確認方法は、これらに限定されるものではない。ウォレットサービスを利用する場合には、ネットバンキングサービスのネット会員登録を前提としてもよい。また、ネット会員の場合にも、最終記帳残高を確認するようにしてもよい。
【００７１】
・上記実施形態では、ユーザ端末１０の制御部１１は、本人認証処理を実行する（ステップＳ３−２）。この本人認証は、取引状況に応じて、省略するようにしてもよい。例えば、取引金額が、予め定められた基準額以上の場合にのみ、本人認証処理を実行するようにしてもよい。
【００７２】
・上記実施形態では、管理サーバ２０の制御部２１は、結果通知処理を実行する（ステップＳ５−７）。具体的には、制御部２１の振替処理部２１３は、生成したメッセージを店頭端末３０に送信する。この場合、管理サーバ２０の制御部２１が、インターネットを介して、振替結果をユーザ端末１０に直接、送信するようにしてもよい。更に、この振替結果には、引落後の口座残高に関する情報を含めるようにしてもよい。
【００７３】
・上記実施形態では、ネット会員でないと判定した場合（ステップＳ２−３において「ＮＯ」の場合）、管理サーバ２０の制御部２１は、生年月日、暗証番号、記帳残高による認証処理を実行する（ステップＳ２−９）。認証処理に用いる情報は、これらに限定されるものではない。例えば、通信キャリア会社が保有するユーザ端末１０（携帯端末）の利用者情報（氏名、生年月日等）を取得し、この利用者情報と、銀行が保有する顧客情報とを照合して、登録を完了するようにしてもよい。
【符号の説明】
【００７４】
１０…ユーザ端末、１１…制御部、１２…カメラ、１３…タッチパネルディスプレイ、１１１…登録部、１１２…支払部、２０…管理サーバ、２１…制御部、２１１…登録管理部、２１２…ネット取引部、２１３…振替処理部、２２…顧客情報記憶部、２３…口座情報記憶部、３０…店頭端末。
【図１】
0006321694.tif 000002
【図２】
0006321694.tif 000003
【図３】
0006321694.tif 000004